(57)【特許請求の範囲】
【請求項１】
矩形形状の本体内部を区切るように内接して設けた枠部と、この枠部に保持される空気中の水分を吸着する円板状の除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す、前記枠部の角部に設けた接続部と、前記発熱手段、除湿ローター、熱交換器、接続部の順序に通過する空気を閉循環させる第１送風ファンと、前記熱交換器を冷却するとともに前記除湿ローターに水分を吸着させて吹出口から乾燥空気を送出する第２送風ファンと、前記発熱手段、除湿ローター、熱交換器および第１送風ファンを保持する前記枠部を有し、前記第１送風ファンを前記枠部に設けた前記接続部に接続するとともに前記本体の前記角部に配し、前記除湿ローターを第２送風ファンによる通風路に設け、前記第１送風ファンが前記除湿ローターを通過後の前記第２送風ファンの通風路の通風部分を遮らない位置に設けた除湿機。
【発明の詳細な説明】
【０００１】
【発明の属する技術分野】
本発明は、室内空気を除湿する除湿機に関するものである。
【０００２】
【従来の技術】
従来、この種の除湿機は、図５および図６に示すものが一般的であった。
【０００３】
以下、その除湿機について図を参照しながら説明する。
【０００４】
図に示すように、本体１０１内部に、駆動モーター１０２の回転ギアにより回転される空気中の水分を吸脱着するための除湿ローター１０３と、この除湿ローター１０３を加熱する発熱ユニット１０４を設け、発熱ユニット１０４は加熱ヒーター１０４ａを備えている。加熱ヒーター１０４ａで加熱された除湿ローター１０３は高温高湿空気を放出し、この高温高湿空気は熱交換器１０５と、サブ熱交換器１０６を通るときに結露水を生成し、この結露水は排水タンク１１に流れ込む。除湿ローター１０３、発熱手段１０４、熱交換器１０５、サブ熱交換器１０６を本体１０１の枠部１０９に取付けている。
【０００５】
また、除湿ローター１０３から熱交換器１０５、サブ熱交換器１０６、発熱手段１０４に戻る閉循環経路ａに空気を通風する第１の送風ファン１０７を設け、本体１０１内に室内空気を吸込み、乾燥空気を排出する通風路に第２の送風ファン１０８を設けている。熱交換器１０５の高温高湿空気入口１０５ａと高温高湿空気出口１０５ｂは熱交換器１０５の有効熱交換表面積を最大にできるよう対角する位置に配置し、水滴が通風抵抗とならないように高温高湿空気入口１０５ａを上方に設けている。サブ熱交換器１０６の高湿空気入口１０６ａは前記熱交換器１０５の高温高湿空気出口１０５ｂに接続され、サブ熱交換器１０６の高湿空気入口１０６ａの垂直上方に設けた第１の送風ファン１０７は除湿ローター１０３を挟んで前記高温高湿空気入口１０５ａに対向するように設けた発熱手段１０４に接続された構成となっている。
【０００６】
【発明が解決しようとする課題】
このような従来の除湿機では、第２の送風ファン１０８による除湿ローター１０３の通風部分が第１の送風ファン１０７によって部分的に遮られており、除湿ローター１０３の吸湿面積の減少による除湿量の低下や、除湿ローターからの輻射熱により第１の送風ファン１０７が熱変形を生じるという課題があり、除湿ローターの吸湿エリアの通風面積を増やして除湿能力を向上するとともに、構成部品の熱劣化を防止することが要求されている。
【０００７】
また、熱交換器１０５出口から第１の送風ファン１０７に流入する高温高湿空気が第１の送風ファン１０７内で冷却され露点温度以下になって結露し、水滴となって第１の送風ファン１０７外部に漏れたり、発熱手段１０４内部に吐き出されヒーター線などの発熱部分に水滴が付着して劣化するという課題があり、第１の送風ファン１０７内部で結露を生じないことが要求されている。
【０００８】
また、枠部１０９が成型時の収縮や運転時の熱膨張で反り、変形すると除湿ローター１０３の回転振れが生じ、駆動モーター１０２の本体１０１への取付け位置が振れの小さい発熱手段１０４の近傍に限定されるが、駆動モーター１０２が高温の悪影響を受けるとともに、除湿ローター１０３と枠部１０９に隙間を生じて除湿量が低減するという課題があり、駆動モーター１０２の取付け位置の制約がなく、除湿ローター１０３と枠部１０９の隙間を少なくすることが要求されている。
【０００９】
本発明は、このような従来の課題を解決するものであり、除湿ローターに吸着させる水分量を増やして除湿量を向上でき、また、第１の送風ファン内部での結露による水漏れと、発熱部分への水掛かりによる劣化を防止できる除湿機を提供することを目的としている。
【００１０】
【課題を解決するための手段】
本発明の除湿機は上記目的を達成するために、矩形形状の本体内部を区切るように内接して設けた枠部と、この枠部に保持される空気中の水分を吸着する円板状の除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す、前記枠部の角部に設けた接続部と、前記発熱手段、除湿ローター、熱交換器、接続部の順序に通過する空気を閉循環させる第１送風ファンと、前記熱交換器を冷却するとともに前記除湿ローターに水分を吸着させて吹出口から乾燥空気を送出する第２送風ファンと、前記発熱手段、除湿ローター、熱交換器および第１送風ファンを保持する前記枠部を有し、前記第１送風ファンを前記枠部に設けた前記接続部に接続するとともに前記本体の前記角部に配し、前記除湿ローターを第２送風ファンによる通風路に設け、前記第１送風ファンが前記除湿ローターを通過後の前記第２送風ファンの通風路の通風部分を遮らない位置に設けたものである。
【００１１】
本発明によれば、除湿ローターに吸着させる水分量を増やして除湿能力を向上できる除湿機が得られる。
【００１４】
【発明の実施の形態】
本発明は、矩形形状の本体内部を区切るように内接して設けた枠部と、この枠部に保持される空気中の水分を吸着する円板状の除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器内を通過した高温高湿空気を上記発熱手段に戻す、前記枠部の角部に設けた接続部と、前記発熱手段、除湿ローター、熱交換器、接続部の順序に通過する空気を閉循環させる第１送風ファンと、前記熱交換器を冷却するとともに前記除湿ローターに水分を吸着させて吹出口から乾燥空気を送出する第２送風ファンと、前記発熱手段、除湿ローター、熱交換器および第１送風ファンを保持する前記枠部を有し、前記第１送風ファンを前記枠部に設けた前記接続部に接続するとともに前記本体の前記角部に配し、前記除湿ローターを第２送風ファンによる通風路に設け、前記第１送風ファンが前記除湿ローターを通過後の前記第２送風ファンの通風路の通風部分を遮らない位置に設けたものであり、加熱され脱着された除湿ローターが回転して放熱冷却されるときに通風量が増えて冷却が促進されるとともに、第１送風手段への除湿ローターからの輻射熱の影響が軽減できるという作用を有する。
【００１５】
また、熱交換器内を通過した高温高湿空気を発熱手段に搬送するための接続部および第１送風ファンの外周にそれぞれ断熱層を形成するものであり、第１送風手段の内壁面の温度低下を防ぐことで、通過する高温高湿気流の壁面への結露を防止でき、下流側の発熱部分などへ水滴を搬送することがないという作用を有する。
【００１６】
【実施例】
（実施例１）
図１ないし図４に示すように、本体１内部には空気中の水分を吸着する除湿ローター２と、除湿ローター２を回転させる駆動モーター３と、除湿ローター２から水分を放出させる発熱ユニット４と、この発熱ユニット４により除湿ローター２から放出された高温高湿空気を結露させる熱交換器５と、除湿ローター２、駆動モーター３、発熱ユニット４、熱交換器５および第１送風ファン７を保持する枠部６を有し、枠部６には熱交換器５と第１送風ファン７を繋ぐ接続部６ａを設けている。第１送風ファン７により発熱ユニット４、除湿ローター２、熱交換器５、接続部６ａ、第１送風ファン７の順序に通過する空気を閉循環させる閉循環風路ａと、第２送風ファン８により熱交換器５を冷却するとともに除湿ローター２に水分を吸着させて吹出口から乾燥空気を送出する風路ｂを形成している。閉循環風路ａにおいて、熱交換器５内で結露を起こして生じた結露水を排水タンク９に貯えるようになっている。また、第１送風ファン７を本体１の角部１ａに配置することにより除湿ローター２の通風部分をほとんど遮らない位置関係としている。
【００１７】
上記構成において、回転する除湿ローター２は発熱ユニット４を通過するときに加熱されて水分が放出される。さらに回転して発熱ユニット４から出ると、除湿ローター２は第２送風ファン８の通風路に入るが、このとき第１送風ファン７が本体１の角部１ａに配置され、吹出しダクト７ａを除いてはほとんど遮られることがないので、速やかに第２送風ファン８によって冷却されて水分を吸着できる温度に到達し、除湿ローター２の吸着範囲を広く取ることができる。従って除湿能力を向上させることができる。第１送風ファン７は高温となった除湿ローター２に面する位置から外れて配置されているので、直接の輻射熱を受けず長寿命化を図ることができる。
【００１８】
（参考例１）
図１および図３に示すように枠部６の熱交換器５と第１送風ファン７を繋ぐ接続部６ａ外周に２重壁による断熱層６ｂを形成し、第１送風ファン７外周にも２重壁による断熱層７ａを形成して、接続部６ａと第１送風ファン７の内壁は外気温度に影響されないよう高温に維持される構成としている。
【００１９】
上記構成において、閉循環風路ａの気流は熱交換器５から第１送風ファン７に戻る段階では露点温度に近い高温高湿の空気となっているため、室温との差が大きく、内壁面に結露が生じやすい条件となっている。しかし断熱層６ｂ、７ａによって閉循環風路ａは空気断熱により冷却されることがないので、接続部６ａや第１送風ファン７内部で結露することなく高温高湿の空気がそのまま発熱ユニット４に通風できる。従って第１送風ファン７からの水漏れや加熱ヒーター４ａへの水掛かりを防止して、構成部品の劣化を防ぐことができる。
【００２０】
（参考例２）
図２〜図４に示すように、除湿ローター２を、ギアを介して回転させる駆動モーター３を回転中心に対し発熱ユニット４の略対称位置にある本体１の他の角部１ｂに設けている。駆動モーター３は発熱ユニット４から離れて設けているので、発熱ユニット４の熱的影響だけでなく、高温状態の除湿ローター２の熱伝達からも逃れる位置に配している。また、駆動モーター３の近傍に除湿ローター２の回転振れを防止する当板１０を設けた構成としたものである。
【００２１】
上記構成において、除湿ローター２は本体１を中心に回動可能に軸支されるとともに、発熱ユニット４において閉循環風路ａの隙間が開かないように位置規制している。このとき本体１の枠部６が反り変形している場合、除湿ローター２に対して枠部６がずれて隙間を生じやすくなるが、駆動モーター３の近傍にある当板１０が除湿ローター２と当接することで、枠部６に対する除湿ローター２の回転振れを矯正するため、除湿ローター２は回転振れせず枠部６と隙間を生じることなく、除湿ローター２の水分吸着量を維持することができる。
【００２２】
なお本実施例では駆動モーター３を本体１の他の角部１ｂに設けたが、図２に示すように角部１ａと対称位置の他の角部１ｃに駆動モーター３ａを設けるようにしてもよい。このときは駆動モータ３ａの近傍に当板１０ａを設けることとなる。
【００２３】
【発明の効果】
以上の実施例から明らかなように、本発明によれば第１送風ファンを除湿ローターを通過後の前記第２送風ファンの通風路の通風部分を遮らない本体の角部に配したことにより、発熱ユニットで加熱された除湿ローターは速やかに第２送風ファンによって冷却され、吸着範囲が広くなり効率良く除湿ローターに水分を吸着できるとともに、第１送風ファンは除湿ローターから輻射熱を受けないので熱劣化を生じることのない除湿機を提供できる。
【図面の簡単な説明】
【図１】  本発明の実施例１および参考例１の除湿機の構成図
【図２】  同実施例１および参考例２の除湿機の要部正面図
【図３】  同実施例１、参考例１および参考例２の除湿機の分解斜視図
【図４】  同実施例１および参考例２の除湿機の要部斜視図
【図５】  従来の除湿機の構成図
【図６】  従来の除湿機の要部正面図
【符号の説明】
１          本体
１ａ        角部
１ｂ        他の角部
１ｃ        他の角部
２          除湿ローター
３          駆動モーター（駆動手段）
３ａ        駆動モーター（駆動手段）
４         発熱ユニット（発熱手段）
５          熱交換器
６          枠部
６ａ       接続部
６ｂ       断熱層
７         第１送風ファン
７ａ       断熱層
８         第２送風ファン
１０        当板
１０ａ      当板
【図１】
0004804698.tif 000002
【図２】
0004804698.tif 000003
【図３】
0004804698.tif 000004
【図４】
0004804698.tif 000005
【図５】
0004804698.tif 000006
【図６】
0004804698.tif 000007